(57)【要約】      （修正有）【課題】列車情報およびコンテンツをともに提供する安価な車内案内表示システムを得る。【解決手段】車内案内表示システムは、列車に編成される車両の少なくとも一両に設置されるとともにコンテンツが記憶される中央装置２と、車両毎に設置されるとともに列車情報が記憶されており、且つ列車情報及びコンテンツが前後して表示されるインテリジェントモニタ４とを備え、中央装置２は、列車情報の表示またはコンテンツの表示を開始するタイミングに列車情報の表示またはコンテンツの表示をそれぞれ指示するコマンドを送信し、インテリジェントモニタ４は、列車情報の表示またはコンテンツの表示を指示するコマンドを受信したとき記憶された列車情報の表示または中央装置２より配信されるコンテンツの表示を開始する。【選択図】図１
2012081831.tif 000002
【特許請求の範囲】
【請求項１】
車内で乗客に列車情報及びコンテンツを時系列に前後して表示して案内する車内案内表示システムにおいて、
上記列車に編成される車両の少なくとも一両に設置されるとともに上記コンテンツが記憶される中央装置と、
上記車両毎に設置されるとともに上記列車情報が記憶されており、且つ上記列車情報及び上記コンテンツが前後して表示されるインテリジェントモニタと
を備え、
上記中央装置は、上記列車情報の表示を開始するタイミングに上記列車情報の表示を指示するコマンドを、上記コンテンツの表示を開始するタイミングに上記コンテンツの表示を指示するコマンドを送信し、
上記インテリジェントモニタは、上記列車情報の表示を指示するコマンドを受信したとき記憶された上記列車情報の表示を開始し、上記コンテンツの表示を指示するコマンドを受信したとき上記中央装置より配信される上記コンテンツの表示を開始する
ことを特徴とする車内案内表示システム。
【請求項２】
車内で乗客に列車情報及びコンテンツを時系列に前後して表示して案内する車内案内表示システムにおいて、
上記列車に編成される車両の少なくとも一両に設置される中央装置と、
上記車両毎に設置されるとともに上記列車情報及び上記コンテンツが記憶されており、且つ上記列車情報及び上記コンテンツが前後して表示されるインテリジェントモニタと
を備え、
上記中央装置は、上記列車情報の表示を開始するタイミングに上記列車情報の表示を指示するコマンドを、上記コンテンツの表示を開始するタイミングに上記コンテンツの表示を指示するコマンドを送信し、
上記インテリジェントモニタは、上記列車情報の表示を指示するコマンドを受信したとき記憶された上記列車情報の表示を開始し、上記コンテンツの表示を指示するコマンドを受信したとき記憶された上記コンテンツの表示を開始する
ことを特徴とする車内案内表示システム。
【発明の詳細な説明】
【技術分野】
【０００１】
この発明は、車両内で画像を表示できるモニタを用いる車内案内表示システムに関するものである。
【背景技術】
【０００２】
従来の車内案内表示システムは、車両の両側面に設けられる各開閉扉の上部に２台のモニタが設置され、一方のモニタに停車駅名、行き先案内、乗換駅等の運行に関連する運行情報を映像化して表示し、他方のモニタにイベントやコマーシャル等の一般情報を映像化して表示している。そして、各モニタそれぞれに対応する端末装置が各車両に設置され、端末装置から運行情報データまたは一般情報データがモニタに入力される。この端末装置には中央装置から運行状況に応じて停車駅名、行き先案内、乗換駅等の運行に関連する運行情報データ、及び運行情報データとは異なる一般情報データとして、例えばイベントやコマーシャル等のデータが順次入力される（例えば、特許文献１参照）。
【先行技術文献】
【特許文献】
【０００３】
【特許文献１】特開２００４−７０２５４号公報
【発明の概要】
【発明が解決しようとする課題】
【０００４】
しかし、各開閉扉の上部に２台のモニタを設置することは、車内案内表示システムを構成する機材の中ではモニタが高価であり、それを開閉扉毎に２台用意しなければならなくなるので、システム全体が高価なものになる。このことは中小の鉄道事業者にとって導入に当って困難な状況を作り出している。
【０００５】
この発明は、前記のような課題を解決するためになされたものであり、列車情報およびコンテンツをともに提供する安価な車内案内表示システムを得ることを目的とする。
【課題を解決するための手段】
【０００６】
この発明に係る車内案内表示システムは、車内で乗客に列車情報及びコンテンツを時系列に前後して表示して案内する車内案内表示システムにおいて、上記列車に編成される車両の少なくとも一両に設置されるとともに上記コンテンツが記憶される中央装置と、上記車両毎に設置されるとともに上記列車情報が記憶されており、且つ上記列車情報及び上記コンテンツが前後して表示されるインテリジェントモニタとを備え、上記中央装置は、上記列車情報の表示を開始するタイミングに上記列車情報の表示を指示するコマンドを、上記コンテンツの表示を開始するタイミングに上記コンテンツの表示を指示するコマンドを送信し、上記インテリジェントモニタは、上記列車情報の表示を指示するコマンドを受信したとき記憶された上記列車情報の表示を開始し、上記コンテンツの表示を指示するコマンドを受信したとき上記中央装置から配信される上記コンテンツの表示を開始する。
【発明の効果】
【０００７】
この発明に係る車内案内表示システムは、１台のインテリジェントモニタに列車情報とコンテンツとを切り替えながら表示するので、従来のように２台のモニタを必要としないからモニタの数を削減することができ、コストパフォーマンスの優れた車内案内表示システムを構築することができる。
【図面の簡単な説明】
【０００８】
【図１】この発明の実施の形態１に係る車内案内表示システムのブロック図である。
【図２】この発明の実施の形態１に係る中央装置の機能ブロック図である。
【図３】この発明の実施の形態１に係るインテリジェントモニタの機能ブロック図である。
【図４】この発明の実施の形態１に係る表示切替指令手順を示すフローチャートである。
【図５】この発明の実施の形態１に係る表示切替手順を示すフローチャートである。
【図６】この発明の実施の形態２に係る車内案内表示システムのブロック図である。
【図７】この発明の実施の形態２に係る中央装置の機能ブロック図である。
【図８】この発明の実施の形態２に係るインテリジェントモニタの機能ブロック図である。
【図９】この発明の実施の形態２に係る表示切替指令手順を示すフローチャートである。
【図１０】この発明の実施の形態２に係る表示切替手順を示すフローチャートである。
【発明を実施するための形態】
【０００９】
以下、本発明の車内案内表示システムの好適な実施の形態につき図面を用いて説明する。
実施の形態１．
図１は、この発明の実施の形態１に係る車内案内表示システムのブロック図である。
この発明の実施の形態１に係る車内案内表示システムは、複数の車両が１編成として編成される列車に対して設けられる。なお、中央装置及びインテリジェントモニタは、１編成の列車に対して１つまたは複数設けられる。
そして、この発明の実施の形態１に係る車内案内表示システムは、図１に示すように、編成される車両の内特定の車両に配設される中央装置２、各車両に１台または複数台側面に設けられる開閉扉それぞれの上部に配設されるインテリジェントモニタ４、中央装置２とインテリジェントモニタ４との間でコマンドを送受するコマンド伝送ライン６、及び、中央装置２からインテリジェントモニタ４に画像データを送る画像データ配信ライン８を備える。
なお、上述の例では中央装置２を１編成で一台配設しているが、２台以上配設しても良い。また、上述の例ではインテリジェントモニタ４を開閉扉の上部に配設しているが、配設する場所はこれに限るものではない。
また、列車情報の中に静止画ＣＭが含まれていても良いし、コンテンツの中に駅案内などの列車情報が含まれていても良い。
【００１０】
以下の説明では、列車識別情報、列車位置情報、列車運行情報、列車現況情報、列車指令情報、及び、気象情報を含む列車関連の各情報を総称して説明する際には、単に「列車情報」と称する。
列車識別情報は列車を識別するための列車番号を、列車位置情報は始発駅から、または駅間のキロ程、列車の走行エリアを示すエリア番号を、列車運行情報は停車駅情報や到着予想時刻を、列車現況情報は到着時刻、乗客人数を、列車指令情報はドア開閉指令、停止指令等を、および気象情報は温度情報、気圧情報、天候情報を含む。
【００１１】
また、コマーシャルメッセージ（ＣＭ）用動画や静止画、ニュース用動画や静止画をコンテンツと称する。
表示スケジュール表には、インテリジェントモニタ４に表示する表示イベント毎を開始する走行位置情報と、表示イベントの名称すなわち列車情報またはコンテンツの名称が格納されている。
【００１２】
図２は、この発明の実施の形態１に係る中央装置の機能ブロック図である。
中央装置２は、ＣＰＵ、ＲＯＭ、ＲＡＭ、インターフェース回路を有するコンピュータと記憶装置とから構成され、記憶装置には、列車情報画像名、コンテンツ、及び列車情報とコンテンツを表示する表示スケジュール表が記憶されている。
また、ＲＯＭは、記憶装置に記憶されている表示スケジュール表からインテリジェントモニタ４に表示する内容を所定の周期で特定する表示内容特定手段１１と、表示内容が列車情報であるときには列車情報の表示の指示と、列車の運行を制御する図示しない列車運行制御装置から得られる列車の走行位置や走行速度、または、中央装置２自身で読み込み検知した走行位置や走行速度からインテリジェントモニタ４に表示する画像名とを含むコマンドをインテリジェントモニタ４に送信する列車情報表示指示手段１２と、表示内容がコンテンツであるときにはコンテンツの表示の指示と、コンテンツ名を含むコマンドをインテリジェントモニタ４に送信するコンテンツ表示指示手段１３と、インテリジェントモニタ４にコンテンツの配信を行うとき該当するコンテンツを配信するコンテンツ配信手段１４と、をコンピュータに実行させるプログラムが記憶されている。
【００１３】
表示内容特定手段１１は、所定の周期毎に記憶装置に記憶されている表示スケジュール表を調べ、表示イベントが設定されていたら表示イベントの内容が列車情報の表示かコンテンツの表示かを判断する。
列車情報表示指示手段１２は、表示イベントの内容が列車情報の表示であると判断したときに実行され、列車の運行を制御する列車運行制御装置から取得、または、中央装置２自身で演算した列車の走行位置と走行速度から画像名を特定し、インテリジェントモニタ４に特定した画像名の画像を表示するように命令するコマンドをコマンド伝送ラインを経由してインテリジェントモニタ４に送る。
【００１４】
コンテンツ表示指示手段１３は、表示イベントの内容がコンテンツの表示であると判断したときに実行され、コンテンツ名を特定し、インテリジェントモニタ４に中央装置２から配信される画像を表示するように命令するコマンドをコマンド伝送ラインを経由してインテリジェントモニタ４に送る。
コンテンツ配信手段１４は、スケジュール表からコンテンツの配信が必要なときに実行され、コンテンツ名のコンテンツを記憶装置から読み出すとともに、読み出したコンテンツを画像データ配信ライン８を経由してインテリジェントモニタ４に配信する。
【００１５】
図３は、この発明の実施の形態１に係るインテリジェントモニタの機能ブロック図である。
インテリジェントモニタ４は、モニタ及びコンピュータ、記憶装置を備え、コンピュータは、ＣＰＵ、ＲＯＭ、ＲＡＭ、インターフェース回路を備える。そして、記憶装置には、モニタに列車情報を表示するための画像データが記憶されている。また、ＲＯＭには、中央装置２から受信したコマンドを解釈するコマンド解釈手段２１と、コマンドが列車情報の表示の指示である場合、コマンドにより指定される画像データを記憶装置から読み出してモニタに表示する列車情報表示手段２２と、コマンドがコンテンツの表示の指示である場合、中央装置２から配信される画像をモニタに表示するコンテンツ表示手段２３と、をコンピュータに実行させるプログラムが記憶されている。
【００１６】
コマンド解釈手段２１は、中央装置２から送信されたコマンドを受信したときに実行され、受信したコマンドが列車情報の表示の指示かコンテンツの表示の指示かを判断する。
列車情報表示手段２２は、コマンドが列車情報の表示の指示である場合に実行され、コマンドに含まれる画像名を抽出し、抽出した画像名の画像データを記憶装置から読み出し、読み出した画像データをモニタに表示する。
コンテンツ表示手段２３は、コマンドがコンテンツの表示の指示である場合に実行され、中央装置２から配信される画像データをモニタに表示する。
【００１７】
次に、この発明の実施の形態１に係る中央装置２がインテリジェントモニタ４に表示切替指令を行う手順を説明する。図４は、この発明の実施の形態１に係る表示切替指令手順を示すフローチャートである。
ステップＳ１０１において、所定の周期で列車の運行を制御する列車運行制御装置から列車の走行位置情報を取得、または、中央装置２自身で演算した走行位置情報に基づいて表示スケジュール表を調べて表示イベントが切り替るか否かを判断し、表示イベントが切り替ると判断したときステップＳ１０２に進み、表示イベントが切り替らないと判断したとき表示切替指令手順を終了する。
ステップＳ１０２において、切り替る表示イベントの内容が列車情報か否かを判断し、列車情報と判断したときステップＳ１０３に進み、コンテンツと判断したときステップＳ１０５に進む。
【００１８】
ステップＳ１０３において、列車の運行を制御する列車運行制御装置から列車の走行位置及び走行速度を取得、または、中央装置２自身で演算した走行位置及び走行速度に基づいて記憶装置から画像名を抽出する。
ステップＳ１０４において、列車情報の表示を指示するコマンドに抽出した画像名を含めてインテリジェントモニタ４に送信して表示切替指令手順を終了する。
【００１９】
ステップＳ１０５において、表示イベント表からコンテンツ名を抽出する。
ステップＳ１０６において、コンテンツの表示を指示するコマンドをインテリジェントモニタ４に送信する。
ステップＳ１０７において、抽出したコンテンツをインテリジェントモニタ４に配信して表示切替指令手順を終了する。
【００２０】
次に、この発明の実施の形態１に係るインテリジェントモニタ４が表示切替を行う手順を説明する。図５は、この発明の実施の形態１に係る表示切替手順を示すフローチャートである。
ステップＳ２０１において、予め定めた周期で中央装置２からコマンドを受信したか否かを判断し、コマンドを受信したときステップＳ２０２に進み、コマンドを受信していないとき表示切替手順を終了する。
ステップＳ２０２において、コマンドが列車情報の表示の指示か否かを判断し、列車情報の表示の指示である場合、ステップＳ２０３に進み、コンテンツの表示の指示である場合、ステップＳ２０４に進む。
【００２１】
ステップＳ２０３において、画像名に基づいて記憶装置から画像データを抽出し、モニタに画像データを送信して表示切替手順を終了する。
ステップＳ２０４において、配信されたコンテンツをモニタに送信して表示切替手順を終了する。
【００２２】
この発明の実施の形態１に係る車内案内表示システムは、列車情報が記憶されているインテリジェント化されたインテリジェントモニタに列車情報とコンテンツとを切り替えながら表示するので、従来のように２台のモニタを必要とせず、モニタの数を削減することができ、コストパフォーマンスの優れた車内案内表示システムを構築することができる。
以上のようなシステム構成とすることにより、大手だけでなく、中小の鉄道事業者にも導入し易くなる。
【００２３】
実施の形態２．
この発明の実施の形態１に係る車内案内表示システムでは、インテリジェントモニタ４に列車情報の画像データが記憶され、中央装置２にコンテンツが記憶されているが、この発明の実施の形態２に係る車内案内表示システムでは、インテリジェントモニタ４Ｂに列車情報の画像データとコンテンツがともに記憶されていることがこの発明の実施の形態１に係る車内案内表示システムと異なっている。また、これに伴いコンテンツ配信ラインが省略されたことも異なっている。なお、この発明の実施の形態１に係る車内案内表示システムと同じ箇所には同じ番号を付記し説明を省略する。
【００２４】
図６は、この発明の実施の形態２に係る車内案内表示システムのブロック図である。
この発明の実施の形態２に係る車内案内表示システムは、図６に示すように、編成される車両の内特定の車両に配設される中央装置２Ｂ、各車両に１台または複数台を側面に設けられる開閉扉それぞれの上部に配設されるインテリジェントモニタ４Ｂ、及び、中央装置２Ｂとインテリジェントモニタ４Ｂとの間でコマンドを送受するコマンド伝送ライン６を備える。
なお、上述の例では中央装置２Ｂを１編成で一台配設しているが、２台以上配設しても良い。また、上述の例ではインテリジェントモニタ４Ｂを開閉扉の上部に配設しているが、配設する場所はこれに限るものではない。
【００２５】
図７は、この発明の実施の形態２に係る中央装置の機能ブロック図である。
この発明の実施の形態２に係る中央装置２Ｂは、図７に示すように、記憶装置に記憶されている表示スケジュール表からインテリジェントモニタ４Ｂに表示する内容を所定の周期で特定する表示内容特定手段１１と、表示内容が列車情報であるときには列車情報の表示の指示と、列車の運行を制御する図示しない列車運行制御装置から得られる列車の走行位置や走行速度、または、中央装置２Ｂ自身で読み込み検知した走行位置や走行速度からインテリジェントモニタ４Ｂに表示する画像名とを含むコマンドをインテリジェントモニタ４Ｂに送信する列車情報表示指示手段１２と、表示内容がコンテンツであるときにはコンテンツの表示の指示と、コンテンツ名を含むコマンドをインテリジェントモニタ４Ｂに送信するコンテンツ表示指示手段１３と、を有する。
【００２６】
図８は、この発明の実施の形態２に係るインテリジェントモニタの機能ブロック図である。
この発明の実施の形態２に係るインテリジェントモニタ４Ｂは、図８に示すように、モニタ及びコンピュータ、記憶装置を備え、コンピュータは、ＣＰＵ、ＲＯＭ、ＲＡＭ、インターフェース回路を備える。そして、記憶装置には、モニタに列車情報を表示するための画像データ及びコンテンツが記憶されている。また、ＲＯＭには、中央装置２Ｂから受信したコマンドを解釈するコマンド解釈手段２１と、コマンドが列車情報の表示の指示である場合、コマンドにより指定される画像データをＲＡＭから読み出してモニタに表示する列車情報表示手段２２と、コマンドがコンテンツの表示の指示である場合、コマンドにより指定されたコンテンツをＲＡＭから読み出してモニタに表示するコンテンツ表示手段２３Ｂと、をコンピュータに実行させるプログラムが記憶されている。
【００２７】
次に、この発明の実施の形態２に係る中央装置２Ｂがインテリジェントモニタ４Ｂに表示切替指令を行う手順を説明する。図９は、この発明の実施の形態２に係る表示切替指令手順を示すフローチャートである。
ステップＳ３０１において、所定の周期で列車の運行を制御する列車運行制御装置から列車の走行位置情報を取得し、取得した走行位置情報に基づいて表示スケジュール表を調べて表示イベントが切り替るか否かを判断し、表示イベントが切り替ると判断したときステップＳ３０２に進み、表示イベントが切り替らないと判断したとき表示切替指令手順を終了する。
ステップＳ３０２において、切り替る表示イベントの内容が列車情報か否かを判断し、列車情報と判断したときステップＳ３０３に進み、コンテンツと判断したときステップＳ３０５に進む。
【００２８】
ステップＳ３０３において、列車の運行を制御する列車運行制御装置から列車の走行位置及び走行速度を取得、または、中央装置２Ｂ自身で演算して得た走行位置及び走行速度に基づいて記憶装置から画像名を抽出する。
ステップＳ３０４において、列車情報の表示を指示するコマンドに抽出した画像名を含めてインテリジェントモニタ４Ｂに送信して表示切替指令手順を終了する。
【００２９】
ステップＳ３０５において、表示スケジュール表からコンテンツ名を抽出する。
ステップＳ３０６において、コンテンツの表示を指示するコマンドに抽出したコンテンツ名を含めてインテリジェントモニタ４Ｂに送信して表示切替指令手順を終了する。
【００３０】
次に、この発明の実施の形態２に係るインテリジェントモニタ４Ｂが表示切替を行う手順を説明する。図１０は、この発明の実施の形態２に係る表示切替手順を示すフローチャートである。
ステップＳ４０１において、予め定めた周期で中央装置２Ｂからコマンドを受信したか否かを判断し、コマンドを受信したときステップＳ４０２に進み、コマンドを受信していないとき表示切替手順を終了する。
ステップＳ４０２において、コマンドが列車情報の表示の指示か否かを判断し、列車情報の表示の指示である場合、ステップＳ４０３に進み、コンテンツの表示の指示である場合、ステップＳ４０４に進む。
【００３１】
ステップＳ４０３において、画像名に基づいて記憶装置から画像データを抽出し、モニタに画像データを送信して表示切替手順を終了する。
ステップＳ４０４において、コンテンツ名に基づいて記憶装置からコンテンツを抽出し、モニタにコンテンツを送信して表示切替手順を終了する。
【００３２】
この発明の実施の形態２に係る車内案内表示システムは、この発明の実施の形態１に係る車内案内表示システムと同様な効果を奏するとともに、画像データ配信ラインを削減することができるので、データ送受信の系が簡単になるという効果も奏する。
【符号の説明】
【００３３】
２、２Ｂ  中央装置、４、４Ｂ  インテリジェントモニタ、６  コマンド伝送ライン、８  画像データ配信ライン、１１  表示内容特定手段、１２  列車情報表示指示手段、１３  コンテンツ表示指示手段、１４  コンテンツ配信手段、２１  コマンド解釈手段、２２  列車情報表示手段、２３、２３Ｂ  コンテンツ表示手段。
【図１】
2012081831.tif 000003
【図２】
2012081831.tif 000004
【図３】
2012081831.tif 000005
【図４】
2012081831.tif 000006
【図５】
2012081831.tif 000007
【図６】
2012081831.tif 000008
【図７】
2012081831.tif 000009
【図８】
2012081831.tif 000010
【図９】
2012081831.tif 000011
【図１０】
2012081831.tif 000012